(57)【要約】【課題】  本発明はチェーンを装着した車輪が走行しても、床用目地プレートの損傷を効率よく防止することができるとともに、十分な強度が得られ、地震の揺れ動きも損傷することなく吸収することができる床用目地装置を得るにある。【解決手段】  目地部を介して設けられた左右の床躯体の、一方の床躯体の目地部側に形成された反目地部側が傾斜面の床用目地プレートスライド支持凹部と、この床用目地プレートスライド支持凹部に先端部が支持され、後端部が該床用目地プレートスライド支持凹部と対応する他方の床躯体の目地部側に先端部が上方へ回動できるように取付具で取付けられた床用目地プレートとからなる床用目地装置において、前記床用目地プレートを両端部より中央部が少し低い、ほぼ逆Ｍ字状に形成された浅皿本体と、この浅皿本体の底面に固定された複数個の補強リブを設けた底板と、前記浅皿本体の内部に収納された車のチェーン等で損傷することのない弾性床材とで床用目地装置を構成している。【選択図】  図２
2010275726.tif 000002
【特許請求の範囲】
【請求項１】
目地部を介して設けられた左右の床躯体の、一方の床躯体の目地部側に形成された反目地部側が傾斜面の床用目地プレートスライド支持凹部と、この床用目地プレートスライド支持凹部に先端部が支持され、後端部が該床用目地プレートスライド支持凹部と対応する他方の床躯体の目地部側に先端部が上方へ回動できるように取付具で取付けられた床用目地プレートとからなる床用目地装置において、前記床用目地プレートを両端部より中央部が少し低い、ほぼ逆Ｍ字状に形成された浅皿本体と、この浅皿本体の底面に固定された複数個の補強リブを設けた底板と、前記浅皿本体の内部に収納された車のチェーン等で損傷することのない弾性床材とで構成したことを特徴とする床用目地装置。
【請求項２】
底板は浅皿本体の両端部の底面より上方の位置となるように、該浅皿本体の底面に固定された床用目地プレートを用いたことを特徴とする請求項１記載の床用目地装置。
【発明の詳細な説明】
【技術分野】
【０００１】
本発明は自動車の車輪にチェーンを装着して使用する地域に主に使用される、大きな荷重が加わっても安全な床用目地装置に関する。
【背景技術】
【０００２】
従来、この種の床用目地装置は金属材製の浅皿状の目地プレート本体と、この目地プレート本体内に充填されたモルタルやコンクリートで構成され、必要に応じて上部にレンガやタイル等の床化粧材を敷設している。
【０００３】
このような構成の床用目地装置は寒冷地に設置すると、冬場に自動車の車輪に装着されたチェーンによってモルタルやコンクリート部分、床化粧材にヒビ割れ等の損傷が生じるという欠点があった。
【先行技術文献】
【特許文献】
【０００４】
【特許文献１】特開２００７−７０９５８
【発明の概要】
【発明が解決しようとする課題】
【０００５】
本発明は以上のような従来の欠点に鑑み、チェーンを装着した車輪が走行しても、床用目地プレートの損傷を効率よく防止することができるとともに、十分な強度が得られ、地震の揺れ動きも損傷することなく吸収することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の、一方の床躯体の目地部側に形成された反目地部側が傾斜面の床用目地プレートスライド支持凹部と、この床用目地プレートスライド支持凹部に先端部が支持され、後端部が該床用目地プレートスライド支持凹部と対応する他方の床躯体の目地部側に先端部が上方へ回動できるように取付具で取付けられた床用目地プレートとからなる床用目地装置において、前記床用目地プレートを両端部より中央部が少し低い、ほぼ逆Ｍ字状に形成された浅皿本体と、この浅皿本体の底面に固定された複数個の補強リブを設けた底板と、前記浅皿本体の内部に収納された車のチェーン等で損傷することのない弾性床材とで床用目地装置を構成している。
【発明の効果】
【０００９】
以上の説明から明らかなように、本発明にあっては次に列挙する効果が得られる。
（１）目地部を介して設けられた左右の床躯体の、一方の床躯体の目地部側に形成された反目地部側が傾斜面の床用目地プレートスライド支持凹部と、この床用目地プレートスライド支持凹部に先端部が支持され、後端部が該床用目地プレートスライド支持凹部と対応する他方の床躯体の目地部側に先端部が上方へ回動できるように取付具で取付けられた床用目地プレートとからなる床用目地装置において、前記床用目地プレートを両端部より中央部が少し低い、ほぼ逆Ｍ字状に形成された浅皿本体と、この浅皿本体の底面に固定された複数個の補強リブを設けた底板と、前記浅皿本体の内部に収納された車のチェーン等で損傷することのない弾性床材とで構成したので、チェーンを装着した車輪が走行しても、チェーンによって弾性床材が損傷するのを効率よく防止でき、長期間安全に使用することができる。
すなわち、従来のモルタルやコンクリート、レンガやタイル等の床化粧材のように、チェーンによって損傷することがないからである。
（２）前記（１）によって、両端部より中央部が少し低い、ほぼ逆Ｍ字状に形成された浅皿本体と、この浅皿本体の底面に固定された複数個の補強リブを設けた底板を用いた床用目地プレートによって、床用目地プレートとしての強度と剛性が得られる。
（３）請求項２も前記（１）、（２）と同様な効果が得られるとともに、両端部が下方へ突出した状態の床用目地プレートになるので、左右の床躯体が不等沈下した場合、目地プレートの両端部の下方へ突出する部分で、床用目地プレートの中央部分が床用目地プレートスライド支持凹部の目地部側端部と当接し、床用目地プレートがガタ付くのを効率よく阻止することができる。
【図面の簡単な説明】
【００１０】
【図１】本発明を実施するための第１の形態の平面図。
【図２】図１の２−２線に沿う断面図。
【図３】本発明を実施するための第１の形態の床用目地プレートの説明図。
【図４】本発明を実施するための第１の形態の床用目地プレートの分解斜視図。
【図５】本発明を実施するための第１の形態の目地部が広くなった動作説明図。
【図６】本発明を実施するための第１の形態の目地部が狭くなった動作説明図。
【図７】本発明を実施するための第１の形態の左右の床躯体が不等沈下した動作説明図。
【図８】本発明を実施するための第２の形態の平面図。
【図９】図８の９−９線に沿う断面図。
【図１０】本発明を実施するための第２の形態の床用目地プレートの説明図。
【図１１】本発明を実施するための第３の形態の平面図。
【図１２】図１１の１２−１２線に沿う断面図。
【図１３】本発明を実施するための第３の形態の床用目地プレートの説明図。
【図１４】本発明を実施するための第４の形態の平面図。
【図１５】図１４の１５−１５線に沿う断面図。
【図１６】本発明を実施するための第４の形態の床用目地プレートの説明図。
【発明を実施するための形態】
【００１１】
以下、図面に示す本発明を実施するための形態により、本発明を詳細に説明する。
【００１２】
図１ないし図７に示す本発明を実施するための第１の形態において、１は主に寒冷地で使用される本発明の床用目地装置で、この床用目地装置１は目地部２を介して設けられた左右の床躯体３、３の、一方の床躯体３の目地部側に形成された反目地部側が傾斜面４の床用目地プレートスライド支持凹部５と、この床用目地プレートスライド支持凹部５の底面を必要に応じて覆うように固定される金属材製のスライド受け皿６と、前記床用目地プレートスライド支持凹部５と対応する他方の床躯体３の目地部側に形成された床用目地プレート支持凹部７と、この床用目地プレート支持凹部７の底面を必要に応じて覆うように固定される金属材製の受け皿８と、先端部が前記床用目地プレートスライド支持凹部５あるいはスライド受け皿６にスライド移動可能に支持され、後端部が前記床用目地プレート支持凹部７あるいは受け皿８に支持された床用目地プレート９と、この床用目地プレート９の後端両側部に下方へ突出し、前記床用目地プレート支持凹部７、受け皿８に設けられたガイド筒１０、１０内に遊挿された支持ピン１１、１１とからなる取付具１２、１２とで構成されている。
【００１３】
前記床用目地プレート９は図３および図４に示すように、両端部より中央部が少し低い、ほぼ逆Ｍ字状に形成された金属材製の浅皿本体１３と、この浅皿本体１３の両端部の底面より底面が上方の位置となるように、該浅皿本体１３の底面に溶接等で固定された複数個の山形形状のリブ１４を設けた金属材製の底板１５と、前記浅皿本体１３内に収納固定されたゴムや弾性を有する合成樹脂材等の弾性床材１６と、この弾性床材１６のほぼ中央部に形成された凹部１７に挿入され、複数個のタッピングビス１８等で、前記浅皿本体１３の中央部に固定される押え板１９と、前記浅皿本体１３の一方の床躯体３側の外壁面に複数本のタッピングビス２０等で固定された弾性床材２１を複数個のビス２２で固定支持する支持台２３とで構成されている。
【００１４】
なお、前記弾性床材２１の上面にはスベリ止めやデザインのために、任意の形状の溝２４を多数個形成してもよい。
上記構成の床用目地装置１は、通常時には図１および図２に示すように左右の床躯体３、３の上面の床用目地装置１に上面とがほぼ同一面となっていて、安全に人や車両の走行ができる。
【００１５】
地震で図５に示すように、目地部２が広くなるように揺れ動いた場合、床用目地プレート９が他方の床躯体３と一体になって移動するため、床用目地プレート９の先端部は床用目地プレートスライド支持凹部５あるいはスライド受け皿６上を左右方向にスライド移動し、その揺れ動きを吸収する。
【００１６】
地震で図６に示すように、目地部２が狭くなるように揺れ動いた場合、床用目地プレート９の先端部は床用目地プレートスライド支持凹部５の傾斜面４あるいはスライド受け皿６の傾斜面４に沿って上方へ回動しながら一方の床躯体３上へ乗り上げ、その揺れ動きを吸収する。
なお、地震での揺れ動きが停止すると、自動的に元の状態へ戻る。
【００１７】
また、地盤沈下や地震によって左右の床躯体３、３が不等沈下した場合、図７に示すように、床用目地プレート９の両部が下方へ突出しているので、床用目地プレート９の中央部が床用目地プレートスライド支持凹部５の目地部側端部やスライド受け皿６の目地部側端部と当接して、先端部が浮き上がった状態になるのを効率よく阻止し、ガタ付くのを防止することができる。
なお、床用目地プレート９の上部を、チェーンを装着した車輪の車両が走行しても、上面が弾性床材１６であるため、従来のようにヒビ割れ等の損傷を防止することができる。
【００１８】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図８ないし図１０に示す本発明を実施するための第２の形態において、前記本発明を実施するための第１の形態と主に異なる点は、先端部を床用目地プレートスライド支持凹部５の傾斜面４に面接触するような傾斜面４に形成した浅皿本体１３Ａと、この浅皿本体１３Ａの先端上部にヒンジ部材２５を介して回動可能に取付けられたカバープレート２６を用いて構成した床用目地プレート９Ａを用いた点で、このような床用目地プレート９Ａを用いて構成した床用目地装置１Ａにしても、前記本発明を実施するための第１の形態と同様な作用効果が得られる。
【００２０】
図１１ないし図１３に示す本発明を実施するための第３の形態において、前記本発明を実施するための第１の形態と主に異なる点は、床用目地プレート９の後端部を他方の床躯体３の目地部側の外壁面３ａに複数本のタッピングビス２７で固定されたアングル状の支持金具２８で支持した点で、このように構成した床用目地装置１Ｂにしても、前記本発明を実施するための第１の形態と同様な作用効果が得られる。
【００２１】
図１４ないし図１６に示す本発明を実施するための第４の形態において、前記本発明を実施するための第１の形態と主に異なる点は、浅皿本体１３Ｂを浅皿状に形成された皿本体２９と、この皿本体２９内に収納固定された山形形状の内底部材３０とからなるものを用いて床用目地プレート９Ｂを構成した点で、このように構成した床用目地プレート９Ｂを用いた床用目地装置１Ｃにしても、前記本発明を実施するための第１の形態と同様な作用効果が得られる。
【００２２】
なお、本発明を実施するための形態では不等沈下した場合、床用目地プレート９Ｂがガタ付くので、床用目地プレート９Ｂの両端部の底面に逆台形状のバー部材で構成する脚部材を固定することにより、不等沈下の場合にも対応することができる床用目地装置にすることができる。
【産業上の利用可能性】
【００２３】
本発明は主に寒冷地で使用される床用目地装置を製造する産業で利用される。
【符号の説明】
【００２４】
１、１Ａ、１Ｂ、１Ｃ：床用目地装置、
２：目地部、                  ３：床躯体、
４：傾斜面、
５：床用目地プレートスライド支持凹部、  
６：スライド受け皿、    
７：床用目地プレート支持凹部、８：受け皿、
９、９Ａ、９Ｂ：床用目地プレート、
１０：ガイド筒、            １１：支持ピン、
１２：取付具、      
１３、１３Ａ、１３Ｂ：浅皿本体、
１４：リブ、                １５：底板、
１６：弾性床材、            １７：凹部、
１８：タッピングビス、      １９：押え板、
２０：タッピングビス、      ２１：弾性床材、
２２：ビス、                ２３：支持台、
２４：溝、                  ２５：ヒンジ部材、
２６：カバープレート、      ２７：タッピングビス、
２８：支持金具、            ２９：皿本体、
３０：内底部材。  
【図１】
2010275726.tif 000003
【図２】
2010275726.tif 000004
【図３】
2010275726.tif 000005
【図４】
2010275726.tif 000006
【図５】
2010275726.tif 000007
【図６】
2010275726.tif 000008
【図７】
2010275726.tif 000009
【図８】
2010275726.tif 000010
【図９】
2010275726.tif 000011
【図１０】
2010275726.tif 000012
【図１１】
2010275726.tif 000013
【図１２】
2010275726.tif 000014
【図１３】
2010275726.tif 000015
【図１４】
2010275726.tif 000016
【図１５】
2010275726.tif 000017
【図１６】
2010275726.tif 000018